(57)【特許請求の範囲】
【請求項１】
カランドリア（９）で接続されている流量分配器本体（２）と浄水器本体（６）を備え、前記流量分配器本体（２）に第１電気制御装置（８）及び外部給水口（２１）、純水給水口（２３）、水道水出口（２５）、水道水排水口（２２）、純水排水口（２６）、第１電気コンポーネントが設けられ、外部給水口（２１）と水道水出口（２５）とがつながっており、純水給水口（２３）の内側端部と純水排水口（２６）とがつながっており、前記浄水器本体（６）に第２電気制御装置（６２）及び純水出口（６５）、水道水給水口（６４）、第２電気コンポーネントが設けられ、前記カランドリア（９）が少なくとも水道管（９２）、純水管（９１）及び導線管（９３）を備え、水道管（９２）の両端がそれぞれ前記水道水出口（２５）及び前記水道水給水口（６４）とつながっており、純水管（９１）の両端がそれぞれ前記純水給水口（２３）の外側端部及び前記純水出口（６５）とつながっており、導線管（９３）の内部に導線（２０）が設けられ、前記第１電気制御装置（８）と第２電気制御装置（６２）とが導線（２０）を介して電気的に接続されており、前記第１電気コンポーネント及び第２電気コンポーネントが、それぞれ第１電気制御装置（８）及び／或いは第２電気制御装置（６２）と電気的に接続され、
前記第１電気コンポーネントが、外部給水口（２１）に入る水があるかどうかを探知するための流量センサ（３）を備え、流量センサ（３）が外部給水口（２１）の内部に設けられ、かつ、第１電気制御装置（８）と電気的に接続され、
前記第１電気コンポーネントが常開型電磁弁（５）を備え、外部給水口（２１）と水道水排水口（２２）とが常開型電磁弁（５）でつながっており、かつ、第１電気制御装置（８）と電気的に接続され、
前記第２電気コンポーネントが、常閉型電磁弁（１０）と増圧ポンプ（６３）を備え、常閉型電磁弁（１０）が水道水給水口（６４）に設けられ、前記常閉型電磁弁（１０）及び増圧ポンプ（６３）が、それぞれ第２電気制御装置（６２）と電気的に接続されていることを特徴とする浄水器のコンポーネント。
【請求項２】
前記流量分配器本体（２）に流量分配管（２４）が設けられ、流量分配管（２４）が３分岐管であり、その各ポートがそれぞれ外部給水口（２１）、水道水出口（２５）、常開型電磁弁（５）とつながっていることを特徴とする請求項１に記載の浄水器のコンポーネント。
【請求項３】
前記第１電気コンポーネントが、外部給水口（２１）に入る水の温度を探知するための温度センサー（４）を備え、温度センサー（４）が外部給水口（２１）の内部または外部に設けられ、かつ、第１電気制御装置（８）及び／或いは第２電気制御装置（６２）と電気的に接続されていることを特徴とする請求項１または請求項２に記載の浄水器のコンポーネント。
【請求項４】
流量センサ（３）で外部給水口（２１）に入る水があると探知した場合、流量センサ（３）が検知信号を流量分配器本体（２）の第１電気制御装置（８）に送信すると同時に、第１電気制御装置（８）が浄水器本体（６）の第２電気制御装置（６２）と通信し、第１電気制御装置（８）で流量分配器本体（２）の常開型電磁弁（５）の動作を制御し、第２電気制御装置（６２）で浄水器本体（６）の常閉型電磁弁（１０）及び増圧ポンプ（６３）の動作を制御することを特徴とする請求項１または請求項２に記載の浄水器のコンポーネントの制御方法。
【請求項５】
常開型電磁弁（５）が開の状態にある場合、常閉型電磁弁（１０）が閉の状態にあり、常開型電磁弁（５）が閉の状態にある場合、常閉型電磁弁（１０）が開の状態にあることを特徴とする請求項４に記載の浄水器のコンポーネントの制御方法。
【請求項６】
前記流量分配器本体（２）の外部給水口（２１）に、外部給水口（２１）に入る水の温度を探知するための温度センサー（４）が設けられ、温度センサー（４）が第１電気制御装置（８）及び／或いは第２電気制御装置（６２）と電気的に接続されており、温度センサー（４）で温度が温度限界値を超えたことを探知した場合、常閉型電磁弁（１０）を閉にすることを特徴とする請求項４に記載の浄水器のコンポーネントの制御方法。
【請求項７】
流量センサ（３）で外部給水口（２１）に入る水があると探知した場合、第２電気制御装置（６２）が設定された時間により増圧ポンプ（６３）をオンにし、流量センサ（３）で水の流れを探知していない場合、どのような状態にもかかわらず、純水の製造のために増圧ポンプ（６３）をオンにしないことを特徴とする請求項４に記載の浄水器のコンポーネントの制御方法。
【発明の詳細な説明】
【技術分野】
【０００１】
本発明は浄水器のコンポーネント及びその制御方法に関する。
【背景技術】
【０００２】
現在、デスクトップ型浄水器がますます多くなり、一般的に、このような製品は蛇口を介して直接水道水とつながっている。蛇口と浄水器とがつながっており、流量分配器の選択スイッチで水道水と純水の切り替えを決定する。一般的には、このようなスイッチは手動機械式スイッチである。
【発明の概要】
【発明が解決しようとする課題】
【０００３】
しかしながら、手動機械式スイッチであるため、自動制御または遠隔操作を実現するとき、浄水器の制御が困難であり、特に浄水器の異常が発生した場合、自動的圧力リリーフや自動スタートの実現が困難であるので、パイプに加えた圧力が大きすぎるかその他の予期せぬ異常が発生する可能性がある。
【０００４】
本発明は上記の問題点を解消するためになされたものであって、電気制御装置と電気コンポーネントとの組み合わせにより、水道水と純水の切り替えを自動的に制御する浄水器のコンポーネント及びその制御方法を提供することを目的とする。
【課題を解決するための手段】
【０００５】
上記の目的を達成するために、本発明に係る浄水器のコンポーネントは、カランドリアで接続されている流量分配器本体と浄水器本体を備え、前記流量分配器本体に第1電気制御装置及び外部給水口、純水給水口、水道水出口、水道水排水口、純水排水口、第1電気コンポーネントが設けられ、外部給水口と水道水出口とがつながっており、純水給水口の内側端部と純水排水口とがつながっており、前記浄水器本体に第2電気制御装置及び純水出口、水道水給水口、第2電気コンポーネントが設けられ、前記カランドリアが少なくとも水道管、純水管及び導線管を備え、水道管の両端がそれぞれ前記水道水出口及び前記水道水給水口とつながっており、純水管の両端がそれぞれ前記純水給水口の外側端部及び前記純水出口とつながっており、導線管の内部に導線が設けられ、前記第1電気制御装置と第2電気制御装置とが導線を介して電気的に接続されており、前記第1電気コンポーネント及び第2電気コンポーネントが、それぞれ第1電気制御装置及び/或いは第2電気制御装置と電気的に接続されている。
【０００６】
好ましくは、前記第1電気コンポーネントが、外部給水口に入る水があるかどうかを探知するための流量センサを備え、流量センサが外部給水口の内部に設けられ、かつ、第1電気制御装置と電気的に接続されている。
【０００７】
好ましくは、前記第1電気コンポーネントが常開型電磁弁を備え、外部給水口と水道水排水口とが常開型電磁弁を介してつながっており、かつ、第1電気制御装置と電気的に接続されている。
【０００８】
好ましくは、前記流量分配器本体に流量分配管が設けられ、流量分配管が3分岐管であり、その各ポートがそれぞれ外部給水口、水道水出口、常開型電磁弁とつながっている。
【０００９】
好ましくは、前記第2電気コンポーネントが、常閉型電磁弁と増圧ポンプを備え、常閉型電磁弁が水道水給水口に設けられ、前記常閉型電磁弁及び増圧ポンプが、それぞれ第2電気制御装置と電気的に接続されている。
【００１０】
好ましくは、前記第1電気コンポーネントが、外部給水口に入る水の温度を探知するための温度センサーを備え、温度センサーが外部給水口の内部または外部に設けられ、かつ、第1電気制御装置及び/或いは第2電気制御装置と電気的に接続されている。
【００１１】
本発明に係る浄水器のコンポーネントの制御方法は、流量センサで外部給水口に入る水があると探知した場合、流量センサが検知信号を流量分配器本体の第1電気制御装置に送信すると同時に、第1電気制御装置が浄水器本体の第2電気制御装置と通信し、第1電気制御装置で流量分配器本体の常開型電磁弁の動作を制御し、第2電気制御装置で浄水器本体の常閉型電磁弁及び増圧ポンプの動作を制御する。
【００１２】
常開型電磁弁が開の状態にある場合、常閉型電磁弁が閉の状態にあり、常開型電磁弁が閉の状態にある場合、常閉型電磁弁が開の状態にある。
【００１３】
前記流量分配器本体の外部給水口に、外部給水口に入る水の温度を探知するための温度センサーが設けられ、温度センサーが第1電気制御装置及び/或いは第2電気制御装置と電気的に接続されており、温度センサーで温度が40℃を超えたことを探知した場合、常閉型電磁弁を閉にする。
【００１４】
流量センサで外部給水口に入る水があると探知した場合、第2電気制御装置が設定された時間により増圧ポンプをオンにし、流量センサで水の流れを探知していない場合、どのような状態にもかかわらず、純水の製造のために増圧ポンプをオンにしない。
【発明の効果】
【００１５】
本発明の良好な効果として、流量分配器にある回路と浄水器にある回路とが、流量分配器にある水路と浄水器にある水路とがつながっているので、流量分配器で浄水器の動作を制御することを実現でき、また、接続のための回路と水路がカランドリア内にあるので、回路と水路が非常に整っている。
本発明の流量分配器に外部給水口に入る水があるかどうかを探知するための流量センサが設けられ、増圧ポンプのオン/オフは流量センサからの信号と直接関係している。流量センサで水が入ることを探知した場合、プログラムの要件に応じて設定された時間により増圧ポンプをオンにし、流量センサで水の流れを探知していない場合、どのような状態にもかかわらず、純水の製造のために増圧ポンプをオンにしないことで、水がないとき増圧ポンプを保護する役割を果たす。
浄水器にあるフィルターのフィルタエレメントは温度による大きな影響を受け、一般的に、水温が40℃を超えると被害を受けるので、流量分配器に外部給水口に入る水の温度を探知するための温度センサーも設けられ、水温が温度限界値を超えると、制御装置が浄水器にあるアクチュエータにプログラムにより動作するよう指令する。例えば、浄水器のバルブを閉じることで、温水が流量分配器の水道水排出口から排出され、浄水器に入らなく、これによりフィルタエレメントの保護を実現する。
カランドリアに水道管及び純水管が設けられ、水道水が水道管を通じて浄水器に入り、浄水器で濾過された水が純水管を通じて流量分配器に戻り、流量分配器から流出する。各部は簡単に接続できる。
【図面の簡単な説明】
【００１６】
【図１】本発明の実施例の構造概略図である。
【図２】本発明の流量分配器本体の構造概略図である。
【図３】流量分配器本体がクランプを介してカランドリアに接続する構造概略図である。
【図４】クランプを開く状態の構造概略図である。
【図５】クランプを閉じる状態の構造概略図である。
【図６】カランドリアの構造概略図である。
【発明を実施するための形態】
【００１７】
以下、添付する図面を参照し本発明の実施形態についてさらに説明する。
図１に示すように、本発明に係る浄水器のコンポーネントは、カランドリア9で接続されている流量分配器本体2と浄水器本体6を備え、流量分配器本体2に第1電気制御装置8及び外部給水口21、純水給水口23、水道水出口25、水道水排水口22、純水排水口26、第1電気コンポーネントが設けられ、外部給水口21と水道水出口25とがつながっており、純水給水口23の内側端部と純水排水口26とがつながっており、浄水器本体6に第2電気制御装置62及び純水出口65、水道水給水口64、第2電気コンポーネントが設けられ、カランドリア9が少なくとも水道管92、純水管91及び導線管93を備え、水道管92の両端がそれぞれ水道水出口25及び水道水給水口64とつながっており、純水管91の両端がそれぞれ純水給水口23の外側端部及び純水出口65とつながっており、導線管93の内部に導線20が設けられ、第1電気制御装置8と第2電気制御装置62とが導線20を介して電気的に接続されており、第1電気コンポーネント及び第2電気コンポーネントが、それぞれ第1電気制御装置8及び/或いは第2電気制御装置62と電気的に接続されている。
【００１８】
第1電気コンポーネントが、外部給水口21に入る水があるかどうかを探知するための流量センサ3を備え、流量センサ3が外部給水口21の内部に設けられ、かつ、第1電気制御装置8と電気的に接続されている。
【００１９】
第1電気コンポーネントが常開型電磁弁5を備え、外部給水口21と水道水排水口22とが常開型電磁弁5を介してつながっており、かつ、第1電気制御装置8と電気的に接続されている。
【００２０】
流量分配器本体2に流量分配管24が設けられ、流量分配管24が3分岐管であり、その各ポートがそれぞれ外部給水口21、水道水出口25、常開型電磁弁5とつながっている。
【００２１】
第2電気コンポーネントが、常閉型電磁弁10と増圧ポンプ63を備え、常閉型電磁弁10が水道水給水口64に設けられ、常閉型電磁弁10及び増圧ポンプ63が、それぞれ第2電気制御装置62と電気的に接続されている。
【００２２】
第1電気コンポーネントが、外部給水口21に入る水の温度を探知するための温度センサー4を備え、温度センサー4が外部給水口21の内部または外部に設けられ、かつ、第1電気制御装置8及び/或いは第2電気制御装置62と電気的に接続されている。
【００２３】
流量分配器本体2にコントロールパネル7が設けられ、コントロールパネル7と第1電気制御装置8とが電気的に接続されており、外部給水口21と蛇口1とがつながっており、蛇口1に開閉弁が設けられる。図1に示す点線は電気接続線である。
【００２４】
図3〜図6に示すように、カランドリア9にある水道管92のポート及び純水管91のポートがそれぞれクランプ30を介して、水道水出口25及び純水給水口23の外周部に押されて密封状態でつながっている。クランプ30が環状のテープ301を備え、テープ301の両端がソケット式接合となり、ソケット式接合部にクランプフィット面303が設けられる。
【００２５】
テープ301の両端にそれぞれU字型コネクタ302及びT字型コネクタ304が設けられ、U字型コネクタ302とT字型コネクタ304とがソケット式接合となる。
【００２６】
クランプフィット面303が歯面であり、歯面にそれぞれU字型コネクタ302の内壁及びT字型コネクタ304の外壁が設けられる。歯面の歯は鋭角三角形となる。もちろん、歯面の歯は直角三角形となることができ、また、直角三角形の垂直面は退行を防ぐ役割がより良い。
【００２７】
T字型コネクタ304とテープ301との接続部に係止部305が設けられ、U字型コネクタ302とT字型コネクタ304とがソケット式接合となった後、係止部305でU字型コネクタ302の1つの端部を支える。
【００２８】
本発明に係る浄水器のコンポーネントの制御方法は、流量センサ3で外部給水口21に入る水があると探知した場合、流量センサ3が検知信号を流量分配器本体2の第1電気制御装置8に送信すると同時に、第1電気制御装置8が浄水器本体6の第2電気制御装置62と通信し、第1電気制御装置8で流量分配器本体2の常開型電磁弁5の動作を制御し、第2電気制御装置62で浄水器本体6の常閉型電磁弁10及び増圧ポンプ63の動作を制御する。
【００２９】
常開型電磁弁5が開の状態にある場合、常閉型電磁弁10が閉の状態にあり、常開型電磁弁5が閉の状態にある場合、常閉型電磁弁10が開の状態にある。
【００３０】
流量分配器本体2の外部給水口21に、外部給水口21に入る水の温度を探知するための温度センサー4が設けられ、温度センサー4が第1電気制御装置8及び/或いは第2電気制御装置62と電気的に接続されており、温度センサー4で温度が温度限界値を超えたことを探知した場合、常閉型電磁弁10を閉にすると同時に、常開型電磁弁5を開にすることで、温水が流量分配器の水道水排水口22から流出され、浄水器本体6のフィルター61に入らなく、フィルター61の損傷を避けることができる。上記の温度限界値は浄水器のフィルタエレメントの温度耐性により設定されたものであり、例えば、水温が40℃を超えるとき、フィルタエレメントは損傷の危険（損傷を被る）があると、温度限界値を40℃に設定する。
【００３１】
流量センサ3で外部給水口21に入る水があると探知した場合、第2電気制御装置62が設定された時間により増圧ポンプ63をオンにし、流量センサ3で水の流れを探知していない場合、どのような状態にもかかわらず、純水の製造のために増圧ポンプ63をオンにしない。
【符号の説明】
【００３２】
１：蛇口
２：流量分配器本体
３：流量センサ
４：温度センサー
５：常開型電磁弁
６：浄水器本体
７：コントロールパネル
８：第1電気制御装置
９：カランドリア
１０：常閉型電磁弁
２０：導線
２１：外部給水口
２２：水道水排水口
２３：純水給水口
２４：流量分配管
２５：水道水出口
２６：純水排水口
６２：第2電気制御装置
６３：増圧ポンプ
６４：水道水給水口
６５：純水出口
９１：純水管
９２：水道管
９３：導線管
３０：クランプ
３０１：環状のテープ
３０２：クランプフィット面
３０２：U字型コネクタ
３０３：クランプフィット面
３０４：T字型コネクタ
３０５：係止部
【図１】
0006419338.tif 000002
【図２】
0006419338.tif 000003
【図３】
0006419338.tif 000004
【図４】
0006419338.tif 000005
【図５】
0006419338.tif 000006
【図６】
0006419338.tif 000007